【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
表面プラズモン共鳴を利用するセンサーチップであって、
第１方向に延びる複数の金属長尺片を、前記センサーチップの表面に照射され表面プラズモンを励起する励起光の波長よりも短いピッチで配列した金属格子と、
前記金属格子の表面を覆い、前記第１方向に交差する第２方向に延びる線状の凸部を有する誘電体層と、
前記誘電体層の表面に配置される金属ナノ体と、
を備えることを特徴とするセンサーチップ。
【請求項２】
請求項１に記載のセンサーチップにおいて、前記第１方向および前記第２方向が交差する交差角は９０度に設定されることを特徴とするセンサーチップ。
【請求項３】
請求項１または２に記載のセンサーチップにおいて、前記金属ナノ体は、前記誘電体層の表面に分散する金属ナノ粒子であることを特徴とするセンサーチップ。
【請求項４】
請求項１〜３のいずれか１項に記載のセンサーチップにおいて、前記凸部は、前記金属格子の表面に平行な基準平面上に配置されて相互に並列に延びる誘電体長尺片を備え、前記誘電体長尺片の配列のピッチは前記金属格子の前記ピッチよりも小さいことを特徴とするセンサーチップ。
【請求項５】
表面プラズモン共鳴を利用するセンサーカートリッジであって、
検出室を区画する筐体と、
前記検出室の空間に接する表面を有する基体と、
前記基体の表面に配置されて、第１方向に延びる複数の金属長尺片を、表面プラズモンを励起するために照射される励起光の波長よりも短いピッチで配列した金属格子と、
前記金属格子の表面を覆い、前記第１方向に交差する第２方向に延びる線状の凸部を有する誘電体層と、
前記誘電体層の表面に配置される金属ナノ体と
を備えることを特徴とするセンサーカートリッジ。
【請求項６】
表面プラズモン共鳴を利用する検出装置であって、
第１方向に延びる複数の金属長尺片を、表面プラズモンを励起するために照射される励起光の波長よりも短いピッチで配列した金属格子と、
前記金属格子の表面を覆い、前記第１方向に交差する第２方向に延びる線状の凸部を有する誘電体層と、
前記誘電体層の表面に配置される金属ナノ体と
前記金属ナノ体に向けて励起光を放出する光源と、
前記励起光の照射に応じて前記金属ナノ体から放射される光を検出する光検出器と
を備えることを特徴とする検出装置。
【手続補正２】
【補正対象書類名】明細書
【補正対象項目名】０００６
【補正方法】変更
【補正の内容】
【０００６】
（１）本発明の一態様は、表面プラズモン共鳴を利用するセンサーチップであって、第１方向に延びる複数の金属長尺片を、前記センサーチップの表面に照射され表面プラズモンを励起する励起光の波長よりも短いピッチで配列した金属格子と、前記金属格子の表面を覆い、前記第１方向に交差する第２方向に延びる線状の凸部を有する誘電体層と、前記誘電体層の表面に配置される金属ナノ体とを備えるセンサーチップに関する。
【手続補正３】
【補正対象書類名】明細書
【補正対象項目名】０００７
【補正方法】変更
【補正の内容】
【０００７】
金属ナノ体は線状の凸部に沿って配列されることから、第２方向に平行な偏光成分に基づき金属ナノ体では局在表面プラズモン共鳴（ＬＳＰＲ）が励起される。同時に、第２方向に平行な偏光成分は金属格子の働きで回折光に変換される。回折光は金属格子の表面で伝播表面プラズモン共鳴（ＰＳＰＲ）を引き起こす。こうして局在表面プラズモン共鳴は伝播表面プラズモン共鳴で増強される。金属ナノ体の表面で近接場光は強められる。いわゆるホットスポットが形成される。
【手続補正４】
【補正対象書類名】明細書
【補正対象項目名】００１０
【補正方法】変更
【補正の内容】
【００１０】
（４）前記凸部は、前記金属格子の表面に平行な基準平面上に配置されて相互に並列に延びる誘電体長尺片を備えることができ、前記誘電体長尺片の配列のピッチは前記金属格子の前記ピッチよりも小さい。こうした配列のピッチによれば、金属ナノ体の集合体の光学異方性は確実に所望の方向に合わせ込まれることができる。
【手続補正５】
【補正対象書類名】明細書
【補正対象項目名】００１１
【補正方法】変更
【補正の内容】
【００１１】
（５）本発明の他の態様は、表面プラズモン共鳴を利用するセンサーカートリッジであって、検出室を区画する筐体と、前記検出室の空間に接する表面を有する基体と、前記基体の表面に配置されて、第１方向に延びる複数の金属長尺片を、表面プラズモンを励起するために照射される励起光の波長よりも短いピッチで配列した金属格子と、前記金属格子の表面を覆い、前記第１方向に交差する第２方向に延びる線状の凸部を有する誘電体層と、前記誘電体層の表面に配置される金属ナノ体とを備えるセンサーカートリッジに関する。このセンサーカートリッジでは、前述と同様に、局在表面プラズモン共鳴は伝播表面プラズモン共鳴で増強される。金属ナノ体の表面で近接場光は強められる。いわゆるホットスポットが形成される。
【手続補正６】
【補正対象書類名】明細書
【補正対象項目名】００１２
【補正方法】変更
【補正の内容】
【００１２】
（６）本発明のさらに他の態様は、表面プラズモン共鳴を利用する検出装置であって、第１方向に延びる複数の金属長尺片を、表面プラズモンを励起するために照射される励起光の波長よりも短いピッチで配列した金属格子と、前記金属格子の表面を覆い、前記第１方向に交差する第２方向に延びる線状の凸部を有する誘電体層と、前記誘電体層の表面に配置される金属ナノ体と前記金属ナノ体に向けて励起光を放出する光源と、前記励起光の照射に応じて前記金属ナノ体から放射される光を検出する光検出器とを備える検出装置に関する。この検出装置では、前述と同様に、局在表面プラズモン共鳴は伝播表面プラズモン共鳴で増強される。金属ナノ体の表面で近接場光は強められる。いわゆるホットスポットが形成される。
【手続補正７】
【補正対象書類名】明細書
【補正対象項目名】００２０
【補正方法】変更
【補正の内容】
【００２０】
誘電体層１８は第２方向ＳＤに延びる線状の凹凸パターン１９を形成する。凹凸パターン１９は第２方向ＳＤに相互に並列に延びる複数の誘電体長尺片２１を有する。誘電体長尺片２１は金属格子１６の表面に平行な基準平面２２上に配置される。誘電体長尺片２１は第１方向ＦＤに第２ピッチＣＨで配列される。第２ピッチＣＨは第１ピッチＰＣより小さい。誘電体長尺片２１同士は等間隔で配置されることができる。ここでは、凹凸パターン１９は、金属長尺片１７上に誘電体長尺片２１を配列するだけでなく、金属長尺片１７同士の間（いわゆる溝）に誘電体長尺片２１を配列する。
【手続補正８】
【補正対象書類名】明細書
【補正対象項目名】００５０
【補正方法】変更
【補正の内容】
【００５０】
なお、上記のように本実施形態について詳細に説明したが、本発明の新規事項および効果から実体的に逸脱しない多くの変形が可能であることは当業者には容易に理解できるであろう。したがって、このような変形例はすべて本発明の範囲に含まれる。例えば、明細書または図面において、少なくとも一度、より広義または同義な異なる用語とともに記載された用語は、明細書または図面のいかなる箇所においても、その異なる用語に置き換えられることができる。また、センサーチップ１１や標的分子検出装置３１等の構成および動作も本実施形態で説明したものに限定されず、種々の変形が可能である。
【手続補正９】
【補正対象書類名】明細書
【補正対象項目名】００５１
【補正方法】変更
【補正の内容】
【００５１】
１１  センサーチップ、１２  基体、１６  金属格子、１７  金属長尺片、１８  誘電体層、１９  凹凸パターン、２１  誘電体長尺片、２２  基準面（基準平面）、２３  金属ナノ体、３１  検出装置（標的分子検出装置）、３２  センサーカートリッジ、５９  検出室、ＦＤ  第１方向、ＳＤ  第２方向、ＰＣ  ピッチ（第１ピッチ）。